(57)【要約】【課題】地震などにより柱や梁が変形した場合であっても、方立壁と窓サッシュの破損を抑制する。【解決手段】方立壁２は、上下に隣接する２本の梁のうちの上側の梁１２ａに結合する上部壁２１と下側の梁１２ｂに結合する下部壁２２とを有し、窓サッシュ３は、上側の梁１２ａに結合する上枠３１１と下側の梁１２ｂに結合する下枠３１２と方立壁２に隣接する縦枠３１３とを有し、方立壁２の上部壁２１と下部壁２２との間には水平方向に延伸するスリット状の第１の隙間５１が設けられ、窓サッシュ３の方立壁２に隣接する縦枠３１３と方立壁２との間には上下方向に延伸する第２の隙間５２が設けられる。【選択図】図４
2017025478.tif 000002
【特許請求の範囲】
【請求項１】
複数の柱と複数の梁とを有するとともに、前記複数の柱のうちの互いに隣接する２本の柱と前記複数の梁のうちの前記２本の柱と結合しており上下方向に互いに隣接する２本の梁とに囲まれる領域に隣接して設けられる方立壁および窓サッシュを有する建物であって、
前記方立壁は、前記２本の梁のうちの上側の梁に結合された上部壁と、前記２本の梁のうちの下側の梁に結合された下部壁と、を有し、
前記窓サッシュは、前記上側の梁に固定された上枠と、前記下側の梁に固定された下枠と、長手方向の端部が前記上枠の長手方向の端部と前記下枠の長手方向の端部のそれぞれに結合された２本の縦枠と、を有し、
前記方立壁の前記上部壁と前記下部壁との間には、水平方向に延伸する第１の隙間が設けられ、
前記窓サッシュの前記縦枠の前記複数の梁の長手方向の端面と前記縦枠に隣接する前記方立壁の前記複数の梁の長手方向の端面との間には、上下方向に延伸する第２の隙間が設けられる
ことを特徴とする方立壁および窓サッシュを有する建物。
【請求項２】
前記第２の隙間には、前記縦枠および前記方立壁よりも変形容易な部材が設けられる
ことを特徴とする請求項１に記載の方立壁および窓サッシュを有する建物。
【請求項３】
前記窓サッシュは、前記２本の柱のうちの一方の柱に隣接する他の縦枠を有し、
前記他の縦枠の前記複数の梁の長手方向の端面と前記他の縦枠に隣接する前記一方の柱との間には、上下方向に延伸する第３の隙間が設けられる
ことを特徴とする請求項１または２に記載の方立壁および窓サッシュを有する建物。
【請求項４】
前記第３の隙間には、前記他の縦枠および前記一方の柱よりも変形容易な部材が設けられる
ことを特徴とする請求項３に記載の方立壁および窓サッシュを有する建物。
【請求項５】
前記方立壁は、前記２本の柱のうちの一方の柱に隣接しており、
前記方立壁と前記方立壁に隣接する前記一方の柱との間には、上下方向に延伸する第４の隙間が設けられる
ことを特徴とする請求項１または２に記載の方立壁および窓サッシュを有する建物。
【請求項６】
前記第４の隙間には、前記一方の柱と前記方立壁よりも変形容易な部材が設けられる
ことを特徴とする請求項５に記載の方立壁および窓サッシュを有する建物。
【発明の詳細な説明】
【技術分野】
【０００１】
本発明は、方立壁および窓サッシュを有する建物に関する。特には、柱と梁（横架材）に囲まれた領域に設けられる方立壁および窓サッシュを有する建物に関する。
【背景技術】
【０００２】
鉄筋コンクリート造や鉄骨鉄筋コンクリート造の建物は、例えば、上下方向に延伸する柱と水平方向に延伸する梁（横架材）とが結合した主構造体を有している。そして、この主構造体によって、地震などに対する建物の強度を維持している。また、このような建物には、水平方向に隣接する２本の柱と上下方向に隣接する２本の梁とに囲まれる領域（すなわち、主構造体の開口部）に、方立壁や窓サッシュが設けられる。
【０００３】
このような建物において、耐震性を高めるため、特許文献１には、上側の梁と一体の垂れ壁（方立壁）と下側の梁と一体の腰壁（方立壁）との間に隙間を設け、この隙間に制震ダンパーを設ける構成が開示されている。また、特許文献２には、雑壁（方立壁）の高さ方向の中間部にスリットを設けて上下別々の壁を形成し、上下の壁を制震装置で接合する構成が開示されている。
【０００４】
２本の柱と２本の梁とに囲まれる開口部は、正面視において長方形や正方形に形成されるが、地震などによって建物が横揺れした場合には、この開口部が正面視において平行四辺形状に変形することがある。この開口部が変形すると、この開口部に設けられる方立壁や窓サッシュも変形して破損することがある。具体的には、前述のようにこの開口部が平行四辺形状に変形すると、この開口部に設けられる方立壁の上縁と下縁（正面視における四辺形の上辺と下辺）とが反対方向に変位することになるため、方立壁や窓サッシュにはせん断力や引張力がかかる。また、この開口部の変形によって、方立壁には圧縮力や引張力がかかることがある。さらに、横揺れによって方立壁が変位したり変形したりすると、方立壁に隣接して設けられる窓サッシュが方立壁に押されて破損することがある。
【先行技術文献】
【特許文献】
【０００５】
【特許文献１】特開平９−１７７３６４号公報
【特許文献２】特開２００１−１２３６９７号公報
【発明の概要】
【発明が解決しようとする課題】
【０００６】
前述のとおり、柱や梁によって地震などに対する強度を確保する構造の建物においては、方立壁や窓サッシュが破損した場合であっても、柱や梁が破損していなければ、建物の利用を継続しても問題ない。しかしながら、方立壁や窓サッシュが破損した場合には、これらを修理しなければならないから、その間は建物を利用できない。特許文献１や特許文献２に記載の構成では、制震ダンパーや制震装置の制震能力を超える横揺れが発生した場合には、方立壁や窓サッシュが破損するおそれがある。このように、特許文献１や特許文献２には、建物の耐震性の向上を図る構成が開示されているが、方立壁や窓サッシュの破損を防止や抑制する構成は開示されていない。
【０００７】
上記実情に鑑み、本発明が解決しようとする課題は、地震などによって建物が横揺れした場合であっても、方立壁や窓サッシュの破損を抑制し、地震などの被災時に緊急避難経路の確保を可能にし、建物の利用を継続できるようにすることである。
【課題を解決するための手段】
【０００８】
上記課題を解決するため、本発明は、複数の柱と複数の梁とを有するとともに、前記複数の柱のうちの互いに隣接する２本の柱と前記複数の梁のうちの前記２本の柱と結合しており上下方向に互いに隣接する２本の梁とに囲まれる領域に隣接して設けられる方立壁および窓サッシュを有する建物であって、前記方立壁は、前記２本の梁のうちの上側の梁に結合された上部壁と、前記２本の梁のうちの下側の梁に結合された下部壁と、を有し、前記窓サッシュは、前記上側の梁に固定された上枠と、前記下側の梁に固定された下枠と、長手方向の端部が前記上枠の長手方向の端部と前記下枠の長手方向の端部のそれぞれに結合された２本の縦枠と、を有し、前記方立壁の前記上部壁と前記下部壁との間には、水平方向に延伸する第１の隙間が設けられ、前記窓サッシュの前記縦枠の前記複数の梁の長手方向の端面と前記縦枠に隣接する前記方立壁の前記複数の梁の長手方向の端面との間には、上下方向に延伸する第２の隙間が設けられることを特徴とする。
【０００９】
前記第２の隙間には、前記縦枠および前記方立壁よりも変形容易な部材が設けられる構成が適用できる。
【００１０】
前記窓サッシュは、前記２本の柱のうちの一方の柱に隣接する他の縦枠を有し、前記他の縦枠の前記複数の梁の長手方向の端面と前記他の縦枠に隣接する前記一方の柱との間には、上下方向に延伸する第３の隙間が設けられる構成が適用できる。
【００１１】
前記第３の隙間には、前記他の縦枠および前記一方の柱よりも変形容易な部材が設けられる構成が適用できる。
【００１２】
前記方立壁は、前記２本の柱のうちの一方の柱に隣接しており、前記方立壁と前記方立壁に隣接する前記一方の柱との間には、上下方向に延伸する第４の隙間が設けられる構成が適用できる。
【００１３】
前記第４の隙間には、前記一方の柱と前記方立壁よりも変形容易な部材が設けられる構成が適用できる。
【発明の効果】
【００１４】
本発明によれば、上側の梁に設けられる上部壁と下側の梁に設けられる下部壁との間には第１の隙間が設けられるから、地震などによって上側の梁と下側の梁とが水平方向にずれた場合であっても、上部壁と下部壁とには水平方向にせん断的な力がかからない。また、上部壁と下部壁には、上下方向の圧縮力や引張力も掛からない。したがって、方立壁の破損を抑制できる。また、窓サッシュの縦枠と方立壁との間に第２の隙間が設けられるから、上側の梁と下側の梁とが水平方向にずれた場合であっても、方立壁が窓サッシュの縦枠に接触して窓サッシュを破損させることがない。このように、本発明によれば、地震などによって上側の梁と下側の梁とが水平方向にずれた場合であっても、方立壁と窓サッシュの破損を抑制できる。したがって、建物の利用を継続できる。
【図面の簡単な説明】
【００１５】
【図１】図１は、本発明の第１の実施形態に係る建物の要部の構成例を模式的に示す部分正面図である。
【図２】図２は、図１のＩＩ−ＩＩ線断面図であり、窓サッシュの組み付け構造を垂直面で切断して示す模式図である。
【図３】図３は、図１のＩＩＩ−ＩＩＩ線断面図であり、窓サッシュの組み付け構造を水平面で切断して示す模式図である。
【図４】図４は、第１の実施形態の作用および効果を説明する模式図である。
【図５】図５は、本発明の第２の実施形態に係る建物の要部の構成例を模式的に示す部分正面図である。
【図６】図６は、本発明の第３の実施形態に係る建物の要部の構成例を模式的に示す部分正面図である。
【発明を実施するための形態】
【００１６】
以下に、本発明の各実施形態について、図面を参照して詳細に説明する。本発明の各実施形態に係る建物は、複数の柱と複数の梁（横架材）とで構成される主構造体を有する建物であり、例えば、鉄筋コンクリート造や鉄骨鉄筋コンクリート造の建物である。複数の柱は上下方向に延伸する部材であり、複数の梁（横架材）は水平方向に延伸する部材である。複数の柱と複数の梁とは一体に結合されており、建物の強度を維持する主構造体を構成する。なお、柱や梁の構成は、従来公知の鉄筋コンクリート造や鉄骨鉄筋コンクリート造の建物の柱や梁と同様の構成が適用できる。そして、本発明の各実施形態に係る建物においては、水平方向に隣接する２本の柱とこの２本の柱に結合され上下方向に隣接する２本の梁とに囲まれる領域（すなわち、主構造体の開口部）に、方立壁と窓サッシュとが水平方向に並べて設けられる。各図においては、適宜、建物の上側を矢印「Ｕｐ」で、建物の下側を矢印「Ｄｎ」で示す。また、方立壁および窓サッシュの室内側を矢印「Ｉｎ」で示し、室外側を矢印「Ｏｕｔ」で示す。
【００１７】
＜第１の実施形態＞
図１は、本発明の第１の実施形態に係る建物１の要部の構成例を模式的に示す部分正面図であり、室外側から見た図である。図１に示すように、第１の実施形態に係る建物１は、上下方向に延伸する複数の柱１１と、水平方向に延伸する複数の梁１２ａ，１２ｂ（横架材）とを有し、これらが建物１の主構造体を構成する。この主構造体には、互いに隣接する２本の柱１１とこれら２本の柱１１に一体に結合され上下方向に互いに隣接する２本の梁１２ａ，１２ｂとに囲まれる四辺形（長方形または正方形）の開口部が形成される。なお、主構造体の具体的な構成は特に限定されるものではなく、建物に応じて適宜設定される。
【００１８】
この開口部１３には、方立壁２と窓サッシュ３とが水平方向に並べて設けられる。第１の実施形態では、２本の柱１１と２本の梁（上側の梁１２ａと下側の梁１２ｂ）により形成される開口部１３の水平方向の中央部に、１つの方立壁２が設けられる。方立壁２の水平方向の両側には、窓サッシュ３が配置される領域（開口部）が形成される。２つの窓サッシュ３のそれぞれは、これらの領域のそれぞれに設けられる。このように、開口部１３には、１つの方立壁２と、この方立壁２に隣接する２つの窓サッシュ３とが設けられる。そして、方立壁２と窓サッシュ３によって開口部１３が塞がれ、室内側と室外側とに分けられる。
【００１９】
方立壁２は、上部壁２１と下部壁２２とに分離している。上部壁２１と下部壁２２は、いずれも正面視（図１において紙面に直角な方向視）において略四辺形の形状を有する。上部壁２１は、その上縁（正面視における四辺形の上辺）が上側の梁１２ａに一体に結合されており、上側の梁１２ａから下側に向かって突出する態様で、上側の梁１２ａに支持されている。下部壁２２は、その下縁（正面視における四辺形の下辺）が下側の梁１２ｂに一体に結合されており、下側の梁１２ｂから上側に突出する態様で、下側の梁１２ｂに支持されている。そして、上部壁２１の下面（正面視における四辺形の下辺）と下部壁２２の上面（正面視における四辺形の上辺）との間には、水平方向に延伸するスリット状の第１の隙間５１が設けられる。このように、上部壁２１と下部壁２２とは結合しておらず、第１の隙間５１を挟んで分離している。なお、上側の梁１２ａは着目している方立壁２および窓サッシュ３が設けられる階の天井の梁であり、下側の梁１２ｂは床の梁である。なお、方立壁２の内部構造については、従来公知の方立壁と同様の構成が適用できる。また、上部壁２１と上側の梁１２ａとの結合構造、および下部壁２２と下側の梁１２ｂとの結合構造についても、従来公知の方立壁と梁との結合構造が適用できる。
【００２０】
第１の隙間５１の上下方向の位置は限定されないが、第１の隙間５１は方立壁２の全体の高さ方向の中心に設けられることが好ましい。すなわち、上部壁２１と下部壁２２のそれぞれの高さ寸法は、略同じであることが好ましい。また、第１の隙間５１の寸法（上部壁２１の下面と下部壁２２の上面との距離）も限定されない。さらに、図１では、上部壁２１の下面と下部壁２２の上面とが単純な平面で互いに平行である構成を示すが、上部壁２１の下面と下部壁２２の上面とは単純な平面に限定されない。要は、上部壁２１と下部壁２２とは、上下に分離しており、上側の梁１２ａおよび下側の梁１２ｂの延伸方向（図１においては左右方向）に互いに反対側に変位した場合において、互いに接触しない構成であればよい。
【００２１】
また、第１の隙間５１は、第１の充填部材５１１によって塞がれる構成であってもよい。ただし、第１の充填部材５１１は、上部壁２１と下部壁２２とを結合するものではなく、上部壁２１と下部壁２２とが相対的に変位した場合には、この相対的な変位を阻害しないように構成される。例えば、第１の充填部材５１１には、ウレタンなどといった、コンクリート等からなる上部壁２１と下部壁２２よりも変形容易な材料が適用される。また、第１の充填部材５１１は、第１の隙間５１に詰め込まれるのみで、接着等されない構成であってもよい。
【００２２】
窓サッシュ３は、正面視において略四辺形の外形を有する。窓サッシュ３は、略四辺形のサッシュ枠３１（外枠とも称する）と、このサッシュ枠３１に開閉可能に取り付けられるサッシュ窓３２（サッシュ戸）とを有する。サッシュ枠３１は、水平方向に延伸する上枠３１１および下枠３１２と、上下方向に延伸する２本の縦枠３１３とを有する。そして、上枠３１１と下枠３１２と２本の縦枠３１３がそれぞれの長手方向の端部で互いに一体に結合されることにより、略四辺形の外形を有するサッシュ枠３１が構成される。また、上枠３１１と下枠３１２には、サッシュ窓３２をガイドするレールが設けられる。サッシュ窓３２は、正面視において略四辺形の窓ガラス３２１と、この窓ガラス３２１の四辺を囲む上桟３２２と下桟３２３と２本の縦桟３２４とを有する。そして、サッシュ窓３２の上桟３２２と下桟３２３のそれぞれは、サッシュ枠３１の上枠３１１と下枠３１２のそれぞれのレールに係合している。なお、窓サッシュ３のサッシュ枠３１と桟（上桟３２２，下桟３２３，縦桟３２４）は、いずれもアルミ合金などといった金属材料により形成される。
【００２３】
次に、窓サッシュ３の組み付け構造について、図２と図３を参照して説明する。図２は、図１のＩＩ−ＩＩ線断面図であり、窓サッシュ３の組み付け構造を垂直面で切断して示す模式図である。図３は、図１のＩＩＩ−ＩＩＩ線断面図であり、窓サッシュ３の組み付け構造を水平面で切断して示す模式図である。なお、図３は、上部壁２１の位置における断面を示すが、下部壁２２の位置における断面構造も図３と同様となる。
【００２４】
図２に示すように、上側の梁１２ａの下面の室外側寄りの部分には、上梁突起部１２１が、この上側の梁１２ａに一体に設けられる。上梁突起部１２１は、上側の梁１２ａから開口部１３の内側（下側）に向かって突出し、上側の梁１２ａの長手方向に延伸する。このように、上側の梁１２ａには、上梁突起部１２１によって室内側を向く段差面が設けられる。説明の便宜上、段差面（すなわち、上梁突起部１２１の側面）を「上梁段差面１２２」と称する。また、上側の梁１２ａの下面のうちの上梁段差面１２２よりも室内側に位置する部分を「上梁室内側下面１２３」と称する。
【００２５】
サッシュ枠３１の上枠３１１は、上側の梁１２ａに固定される。具体的には、上梁室内側下面１２３には下側に突出するアンカー１２４ａが埋め込まれており、上枠３１１はこのアンカー１２４ａに結合される。このように、上枠３１１は、アンカー１２４ａを介して上側の梁１２ａに固定される。例えば、上枠３１１は、アンカー１２４ａに溶接される。また、上枠３１１の上面と上梁室内側下面１２３との間には、第５の隙間５５が設けられる。第５の隙間５５は、水平方向に延伸するスリット状の隙間である。このように、上枠３１１の上面と上梁室内側下面１２３とは上下方向に所定の距離をおいて離れている。
【００２６】
第５の隙間５５には、第５の充填部材５５１が設けられる構成であってもよい。この場合、第５の充填部材５５１は、金属材料からなるサッシュ枠３１およびコンクリートからなる上側の梁１２ａよりも変形容易な軟らかい材料からなる部材が適用される。例えば、ロックウールなどの不燃材料が適用できる。
【００２７】
また、サッシュ枠３１の上枠３１１の上面は、上梁突起部１２１の下面よりも上側に位置している。このため、サッシュ枠３１の上枠３１１の室外側の面の上縁部は、上梁段差面１２２に対向する。そして、上枠３１１の室外側の面と上梁段差面１２２との間には、これらの間の隙間を塞ぐ上枠シール材３０１が設けられる。上枠シール材３０１は、紐状または棒状の従来公知の各種防水用のシール材が適用できる。
【００２８】
サッシュ枠３１の下枠３１２は、下側の梁１２ｂの上面に固定される。さらに、下枠３１２の室外側には、水切り板３３が固定される。具体的には、下側の梁１２ｂには上側に突出するアンカー１２４ｂが埋め込まれており、下枠３１２および水切り板３３はこのアンカー１２４ｂに結合される。このように、下枠３１２と水切り板３３は、アンカー１２４ｂを介して下側の梁１２ｂに固定される。例えば、下枠３１２と水切り板３３は、アンカー１２４ｂに溶接される。水切り板３３と下側の梁１２ｂとの間には、下側の梁１２ｂの室外側の表面の近傍に、これらの間の隙間を塞ぐように下枠シール材３０２が設けられる。下枠シール材３０２も、上枠シール材３０１と同様に、紐状または棒状の従来公知の各種防水用のシール材が適用できる。そして、下枠シール材３０２の室内側であって、下枠３１２および水切り板３３と下側の梁１２ｂとの間には、モルタルなどが充填される。なお、水切り板３３の構成は限定されるものではなく、従来公知の各種構成が適用できる。
【００２９】
図３に示すように、それぞれの柱１１の側面（開口部１３の内周側の面）の室外側寄りの部分には、柱突起部１１１が、それぞれの柱１１に一体に設けられる。柱突起部１１１は、開口部１３の内周側に向かって突出し、柱１１の長手方向（上下方向）に延伸する。このため、柱突起部１１１には、室内側を向く段差面が設けられる。説明の便宜上、柱突起部１１１の室内側を向く段差面を「柱段差面１１２」と称する。また、それぞれの柱１１の側面（開口部１３の内周側の面）の柱突起部１１１よりも室内側に位置する部分を「柱室内側側面１１３」と称する。
【００３０】
図３に示すように、上部壁２１と下部壁２２のそれぞれの水平方向（上側の梁１２ａおよび下側の梁１２ｂの長手方向）の端面（換言すると、柱１１の側面に対向する側の端面）の室外側寄りの部分には、方立壁突起部２０１が、上部壁２１と下部壁２２のそれぞれに一体に設けられる。方立壁突起部２０１は、方立壁２の上部壁２１と下部壁２２のそれぞれの水平方向の端部から、窓サッシュ３が取付けられる領域の内側（換言すると、それぞれの端面に対向する柱１１の側）に向かって突出し、上下方向に延伸する。このため、方立壁２の端部には、方立壁突起部２０１により、室内側を向く段差面が設けられる。この段差面（すなわち、方立壁突起部２０１の室内側の側面）を「方立壁段差面２０２」と称する。また、方立壁２の水平方向（上側の梁１２ａおよび下側の梁１２ｂの長手方向）の端面のうちの方立壁段差面２０２も室内側に位置する部分を「方立壁室内側端面２０３」と称する。
【００３１】
第１の実施形態では、上側の梁１２ａと下側の梁１２ｂと２本の柱１１のそれぞれと方立壁２とに囲まれた領域が、窓サッシュ３が配置される領域となる。窓サッシュ３が配置される領域の水平方向寸法は、室外側寄りの部分に比較して室内側寄りの部分の方が大きい。具体的には、方立壁突起部２０１と柱突起部１１１との水平方向距離は、窓サッシュ３のサッシュ枠３１の水平方向寸法よりも小さい。一方、方立壁室内側端面２０３と柱室内側側面１１３との水平方向距離は、窓サッシュ３のサッシュ枠３１の水平方向寸法よりも大きい。そして、窓サッシュ３のサッシュ枠３１は、上梁突起部１２１と方立壁突起部２０１と柱突起部１１１よりも室内側であって、上梁室内側下面１２３と下側の梁１２ｂの上面と方立壁室内側端面２０３と柱室内側側面１１３とに囲まれた領域に配置される。
【００３２】
図３に示すように、サッシュ枠３１の一方の縦枠３１３の外側面３１５とこれに隣接（近接）する方立壁室内側端面２０３との間には、第２の隙間５２が設けられている。ここで、縦枠３１３の外側面３１５とは、縦枠３１３の上側の梁１２ａと下側の梁１２ｂの長手方向の端面をいうものとする。すなわち、一方の縦枠３１３の外側面３１５とこれに隣接（近接）する方立壁室内側端面２０３とは、上下方向の全長にわたって接触しておらず、上側の梁１２ａおよび下側の梁１２ｂの長手方向に所定の距離をおいて離れている。同様に、サッシュ枠３１の他の一方の縦枠３１３の外側面３１５とこれに隣接して対向する柱室内側側面１１３との間には、第３の隙間５３が設けられる。すなわち、サッシュ枠３１の他の一方の縦枠３１３の外側面３１５とこれに隣接して対向する柱室内側側面１１３とは、上下方向の全長にわたって接触しておらず、上側の梁１２ａおよび下側の梁１２ｂの長手方向に所定の距離をおいて離れている。第２の隙間５２と第３の隙間５３は、上下方向に延伸する細長いスリット状の隙間である。前述のとおり、方立壁室内側端面２０３と柱室内側側面１１３との距離は、サッシュ枠３１の水平方向寸法よりも大きい。このため、サッシュ枠３１を方立壁室内側端面２０３と柱室内側側面１１３との間に嵌め込んだ状態で、一方の縦枠３１３と方立壁室内側端面２０３との間に第２の隙間５２を設けることができ、他の一方の縦枠３１３と柱室内側側面１１３との間に第３の隙間５３を設けることができる。
【００３３】
第２の隙間５２の水平方向寸法（すなわち、第２の隙間５２の幅）は、地震により建物１が横揺れして変形し、窓サッシュ３と方立壁２との位置関係が変化した場合であっても、方立壁２が窓サッシュ３に接触しない寸法に設定される。同様に、第３の隙間の水平方向寸法は、窓サッシュ３と柱１１との位置関係が変化した場合であっても、柱１１が窓サッシュ３に接触しない寸法に設定される。なお、ここでいう変形は、柱１１と梁１２ａ，１２ｂが破損しない程度の変形（弾性限度内の変形）をいうものとする。具体的な値は特に限定されるものではなく、柱１１や梁１２ａ，１２ｂの剛性などに応じて適宜設定される。
【００３４】
このように、サッシュ枠３１の縦枠３１３は、方立壁２と柱１１のいずれにも接触していない。さらに、２本の縦枠３１３は、方立壁２と柱１１のいずれにも固定されていない。すなわち、前述のとおり、サッシュ枠３１の上枠３１１と下枠３１２は、それぞれアンカー１２４ａ，１２４ｂを介して上側の梁１２ａと下側の梁１２ｂのそれぞれに固定されるが、縦枠３１３は方立壁２と柱１１のいずれにも固定されておらず、縦枠３１３の変形や変位が方立壁２や柱１１から干渉されることがない。
【００３５】
なお、第２の隙間５２には第２の充填部材５２１が設けられる構成であってもよい。同様に、第３の隙間５３には第３の充填部材５３１が設けられる構成であってもよい。すなわち、それぞれの充填部材によってそれぞれの隙間が塞がれる構成であってもよい。ただし、第２の充填部材５２１は、縦枠３１３と方立壁２とを結合するものではなく、これらが相対的に変位した場合には、これらの相対的な変位を阻害しないように構成される。同様に、第３の充填部材５３１は、縦枠３１３と柱１１とを結合するものではなく、これらが相対的に変位した場合には、これらの相対的な変位を阻害しないように構成される。例えば、第２の充填部材５２１と第３の充填部材５３１とは、例えばアルミなどといった、金属材料からなるサッシュ枠３１とコンクリートからなる方立壁２と柱１１のいずれよりも変形容易な材料により形成される。ただし、第２の充填部材５２１と第３の充填部材５３１はサッシュ枠３１と方立壁２と柱１１のいずれよりも変形容易な部材であればよく、材質は特に限定されない。
【００３６】
２本の縦枠３１３の室外側の面の外周縁部は、方立壁段差面２０２と柱段差面１１２のそれぞれに対向している。方立壁突起部２０１と柱突起部１１１との間の開口部の水平方向寸法は、サッシュ枠３１の水平方向寸法よりも小さい。したがって、サッシュ枠３１を方立壁室内側端面２０３と柱室内側側面１１３との間に嵌め込むと、２本の縦枠３１３の室外側の面の外周縁部は、方立壁段差面２０２と柱段差面１１２のそれぞれに対向する。そして、一方の縦枠３１３の室外側の面の外周縁部と方立壁段差面２０２との間には、これらの間の隙間を塞ぐように、縦枠シール材３０３が設けられる。同様に、他の一方の縦枠３１３の室外側の面の外周縁部と柱段差面１１２と間にも、これら間の隙間を塞ぐように縦枠シール材３０３が設けられる。これらの縦枠シール材３０３には、従来公知の各種紐状や棒状の防水用のシール材が適用できる。
【００３７】
このように、第２の隙間５２と第３の隙間５３の室外側は方立壁突起部２０１に塞がれており、第２の隙間５２と第３の隙間５３とは室外側に露出していない。このため、第２の隙間５２と第３の隙間５３は、室内側から見ると、上下方向に延伸する有底の細長い溝状の隙間となる。
【００３８】
以上説明したとおり、サッシュ枠３１の上枠３１１と下枠３１２は、上側の梁１２ａと下側の梁１２ｂのそれぞれに固定されている。これに対して２本の縦枠３１３は、上側の梁１２ａにも下側の梁１２ｂにも柱１１にも方立壁２にも固定されていない。そして、一方の縦枠３１３の外側面３１５（上側の梁１２ａおよび下側の梁１２ｂの長手方向の端面）とこれに隣接して対向する方立壁室内側端面２０３との間には第２の隙間５２が設けられ、他の一方の縦枠３１３の外側面３１５とこれに隣接して対向する柱室内側側面１１３との間には第３の隙間５３が設けられる。このように、一方の縦枠３１３の外側面は方立壁室内側端面２０３から、もう一方の縦枠３１３の外側面３１５は柱室内側側面１１３から、いずれも上側の梁１２ａおよび下側の梁１２ｂの長手方向に所定の距離をおいて離れている。
【００３９】
次に、第１の実施形態の作用および効果について説明する。図４は、第１の実施形態の作用および効果を説明する模式図である。なお、図４においては、作用および効果を分かりやすく示すため、各部材を簡略化やデフォルメして示してある。地震によって建物１が横揺れした場合には、図４に示すように、隣接する２本の柱１１と２本の梁１２ａ，１２ｂとに囲まれる開口部１３が、長方形または正方形から略平行四辺形に変形する（歪む）ことがある。
【００４０】
この場合、方立壁２が上部壁２１と下部壁２２とに分離していない構成や、方立壁２が制震装置などによって結合されている構成では、方立壁２の上縁と下縁には、互いに反対方向に移動させる力がかかる。したがって、方立壁２には、全体としてせん断力がかかることになる。また、方立壁２が上部壁２１と下部壁２２に分離していないと、開口部１３の変形の際に、方立壁２に圧縮力や引張力が掛かることがある。このように、建物１に横揺れが生じると、方立壁２がせん断力や圧縮力や引張力によって破損することがある。
【００４１】
また、一般的には、サッシュ枠３１と方立壁２や柱１１との間には、防水などのためにモルタルが充填されており、サッシュ３１の縦枠３１３と方立壁２や柱１１との間には隙間が設けられない。このように、サッシュ枠３１の縦枠３１３の外側面３１５と方立壁２や柱１１の開口部１３の内周側の面との間に第２の隙間５２や第３の隙間５３が設けられない構成であると、開口部１３の変形の際に縦枠３１３が方立壁２や柱１１に押されて変形し、破損することがある。さらに、サッシュ枠３１の縦枠３１３が方立壁２や柱１１に固定される構成であると、固定箇所を介して縦枠３１３に力が掛かり、固定箇所を起点として縦枠３１３が変形や破損することがある。
【００４２】
本発明の第１の実施形態に係る建物１のように、鉄筋コンクリート造や鉄骨鉄筋コンクリート造の建物は、柱１１と梁１２ａ，１２ｂ（横架材）からなる主構造体によって建物の強度を保っており、方立壁２は建物の強度計算に含まれていない。このような構成であれば、地震で建物１が横揺れした場合でも、柱１１や梁１２ａ，１２ｂが破損していなければ、建物１は必要な強度を維持していることになるから、建物１の利用を継続できる。しかしながら、柱１１や梁１２ａ，１２ｂが破損していなくても、方立壁２や窓サッシュ３が破損した場合には、これらを修理しなければならなくなり、修理の間は建物１の利用を継続できない。この場合、方立壁２や窓サッシュ３が柱１１や梁１２ａ，１２ｂに固定されている構成であると、これらの修理には相当の期間を要することになる。
【００４３】
これに対して、本発明の第１の実施形態によれば、方立壁２は第１の隙間５１を挟んで上部壁２１と下部壁２２とに分離している。このような構成であると、建物１の横揺れによって上側の梁１２ａと下側の梁１２ｂとが逆方向に移動するように変形した場合には、上部壁２１と下部壁２２とはそれぞれ水平方向に相対的に移動するから、上部壁２１と下部壁２２とにはせん断力がかからない。また、上部壁２１と下部壁２２とには圧縮力や引張力も掛からない。したがって、このような構成によれば、建物１に横揺れが生じた場合において、方立壁２の破損の発生を抑制できる。
【００４４】
さらに、第１の実施形態においては、一方の縦枠３１３の外側面とこれに隣接して対向する方立壁２の方立壁室内側端面２０３との間には第２の隙間５２が設けられ、他の一方の縦枠３１３の外側面３１５とこれに近接して対向する柱１１の柱室内側側面１１３との間には第３の隙間５３が設けられる。そして、一方の縦枠３１３は方立壁２に固定されておらず、他の一方の縦枠３１３は柱１１に固定されていない。このような構成であれば、横揺れによって、柱１１や方立壁２が変形や変位した場合であっても、柱１１や方立壁２が縦枠３１３に接触することが抑制される。したがって、縦枠３１３が柱１１や方立壁２に押されて変形して破損することが抑制される。さらに、縦枠３１３は柱１１や方立壁２に固定されていないから、方立壁２や柱１１から縦枠３１３に外力が加わることがない。このため、サッシュ枠３１は、柱１１や方立壁２の変位などに干渉されることなく、全体として平行四辺形に変形することができる。また、縦枠３１３には方立壁２や柱１１に固定される個所が存在しないことから、固定箇所から外力がかかって破損することがない。縦枠３１３の破損が防止される。
【００４５】
特に、方立壁２が上部壁２１と下部壁２２に分離している構成であると、上側の梁１２ａと下側の梁１２ｂとがそれらの長手方向に互いに反対側に変位した場合に、上部壁２１の下面の隅部（上側の梁１２ａおよび下側の梁１２ｂの長手方向の端部）や、下部壁２２の上面の隅部が、サッシュ枠３１に接触しやすくなる。そこで、第１の実施形態では、縦枠３１３の外側面とこれに隣接して対向する方立壁２の方立壁室内側端面２０３との間に第２の隙間５２を設けることにより、上部壁２１の下面の隅部や下部壁２２の上面の隅部がサッシュ枠３１に接触することを抑制する。
【００４６】
このように、第１の実施形態によれば、地震などによって建物１が横揺れした場合において、方立壁２および窓サッシュ３の破損を抑制できる。したがって、地震などの被災時において、窓サッシュ３からの避難ができるから、緊急避難経路が確保される。さらに、柱１１や梁１２ａ，１２ｂが破損していなければ、そのまま建物１の利用を継続できる。
【００４７】
（第２の実施形態）
次に、第２の実施形態について、図５を参照して説明する。図５は、本発明の第２の実施形態に係る建物１の要部の構成例を模式的に示す部分正面図である。なお、第１の実施形態と共通の構成には同じ符号を付し、説明を省略する。図５に示すように、本発明の第２の実施形態は、２本の柱１１と２本の梁（上側の梁１２ａと下側の梁１２ｂ）とで形成される開口部１３の水平方向の中央部に窓サッシュ３が設けられ、その両側に方立壁２が設けられる形態である。窓サッシュ３の構成および上側の梁１２ａと下側の梁１２ｂへの固定構造は、第１の実施形態と同じ構成が適用できる。そして、サッシュ枠３１の２本の縦枠３１３のそれぞれの外側面３１５（上側の梁１２ａおよび下側の梁１２ｂの長手方向の端面）と、それらに隣接して対向する２つの方立壁２のそれぞれの方立壁室内側端面２０３との間には、上下方向に延伸する第２の隙間５２が設けられる。第２の隙間５２の構成は、第１の実施形態と同じ構成が適用できる。
【００４８】
２つの方立壁２の上側の梁１２ａおよび下側の梁１２ｂの長手方向の端面であってそれぞれの柱１１に近接する側の端面は、２本の柱１１のそれぞれの側面（開口部１３の内周側の面）に対向している。そして、これらの端面と２本の柱１１のそれぞれの側面との間には、第４の隙間５４が設けられる。第４の隙間５４は、上下方向に延伸するスリット状の隙間である。このように、方立壁２と柱１１とは、高さ方向の全長にわたって、上側の梁１２ａおよび下側の梁１２ｂの長手方向に平行な方向に、所定の距離をおいて離れている。また、方立壁２と柱１１とは、高さ方向の中間においては結合されていない。なお、第４の隙間５４の水平方向寸法は、特に限定されない。また、方立壁２の柱１１に対向する側の端面は、窓サッシュ３に対向する側の端面のように方立壁突起部２０１が設けられない構成であってもよい。同様に、柱１１の側面（方立壁２に対向する面）には、柱突起部１１１が設けられない構成であってもよい。例えば、方立壁２と柱１１の互いに対向する面は、単純な平面であってもよい。要は、建物１の横揺れによって上側の梁１２ａと下側の梁１２ｂとがそれらの長手方向に相対的に反対向きに変位した場合（特に、柱１１が傾斜するように変形した場合）において、方立壁２と柱１１とが接触しない構成であればよい。
【００４９】
方立壁２と柱１１の間の第４の隙間５４には、第４の充填部材５４１が設けられてもよい。ただし、第４の充填部材５４１は、方立壁２と柱１１とを結合するものではなく、相対的な変位を阻害しないように構成される。例えば、第４の充填部材５４１は、ウレタンなどといった、コンクリートからなる方立壁２および柱１１よりも変形容易な軟らかい材料からなる部材が適用される。また、第４の充填部材５４１は、方立壁２と柱１１に固定されない構成であってもよい。なお、第１の隙間５１と第２の隙間５２および第１の充填部材５１１および第２の充填部材５２１は、第１の実施形態と同じ構成でよい。
【００５０】
このように、第２の実施形態では、方立壁２の一方の端面（上側の梁１２ａおよび下側の梁１２ｂの長手方向の端面）が柱１１と隣接しており、方立壁２の端面とこれに隣接する柱１１の側面（開口部１３の内周側の側面）とが、上側の梁１２ａおよび下側の梁１２ｂの長手方向に所定の距離をおいて離れている。このような構成であっても、第１の実施形態と同様の作用と効果を奏することができる。特に、方立壁２と柱１１との接触が抑制されるから、方立壁２が柱１１に押されるなどして破損することが抑制される。
【００５１】
（第３の実施形態）
次に、第３の実施形態について、図６を参照して説明する。図６は、本発明の第３の実施形態に係る建物１の要部の構成例を模式的に示す部分正面図である。なお、第１や第２の実施形態と共通の構成には同じ符号を付し、説明を省略する。図６に示すように、本発明の第３の実施形態は、２本の柱１１と２本の梁（上側の梁１２ａと下側の梁１２ｂ）に囲まれる開口部１３に、１つの窓サッシュ３と１つの方立壁２とが水平方向に並べて設けられる形態である。サッシュ枠３１の固定構造は、第１の実施形態と同様である。そして、サッシュ枠３１と方立壁２との間には第２の隙間５２が設けられ、サッシュ枠３１と柱１１との間には第３の隙間５３が設けられ、方立壁２と柱１１との間には第４の隙間５４が設けられる。第２の隙間５２と第３の隙間５３には、第１の実施形態と共通の構成が適用できる。第４の隙間５４には、第２の実施形態と共通の構成が適用できる。そして、第３の実施形態によれば、第１の実施形態や第２実施形態と同様の作用と効果を奏することができる。
【００５２】
以上、本発明の各実施形態について、図面を参照して詳細に説明したが、本発明は前記実施形態に限定されるものではない。例えば、前記各実施形態では、１箇所の開口部にそれぞれ１つまたは２の窓サッシュと方立壁が配置される構成を示したが、１つの開口部に配置される窓サッシュおよび方立壁の数は特に限定されない。
【産業上の利用可能性】
【００５３】
本発明は、方立壁と窓サッシュを有する建物に有効な技術である。本発明によれば、地震によって建物が横揺れした場合であっても、方立壁と窓サッシュの破損を抑制でき、建物の利用を継続できる。
【符号の説明】
【００５４】
１２ａ：上側の梁、１２ｂ：下側の梁、２：方立壁、２１：方立壁の上部壁、２２：方立壁の下部壁、３：窓サッシュ、３１１：窓サッシュの上枠、３１２：窓サッシュの下枠、３１３：窓サッシュの縦枠、５１：第１の隙間、５２：第２の隙間、５３：第３の隙間、５４：第４の隙間
【図１】
2017025478.tif 000003
【図２】
2017025478.tif 000004
【図３】
2017025478.tif 000005
【図４】
2017025478.tif 000006
【図５】
2017025478.tif 000007
【図６】
2017025478.tif 000008